(57)【特許請求の範囲】
【請求項１】
ケーシングで入口と弁室と出口を形成し、弁室と出口を連通する弁口を弁室の下部に形成し、弁室内に支持された揺動軸の周りに回転するレバーを設け、弁室内の液位に応じて浮上降下するフロートをレバーに連結すると共に弁口を開閉する弁体をレバーに連結したものにおいて、弁口は第１弁口及び第２弁口を有し、弁体は第１弁口を開閉する第１弁体及び第２弁口を開閉する第２弁体を有し、第１弁体の開弁変位量が所定に達するまでは第１弁口内に没入して排出流量を絞る絞り部材を第１弁体が有し、第２弁体の開弁変位量が所定に達するまでは第２弁口内に没入して排出流量を絞る絞り部材を第２弁体が有することを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のレバーフロート式ドレントラップは、ケーシングで入口と弁室と出口を形成し、弁室と出口を連通する弁口を弁室の下部に形成し、弁室内に支持された揺動軸の周りに回転するレバーを設け、弁室内の液位に応じて浮上降下するフロートをレバーに連結すると共に弁口を開閉する弁体をレバーに連結したもので、弁室内の液位に応じて浮上降下するフロートでレバーを回転させて弁体で弁口を開閉することによりドレンを自動的に排出するものである。
【０００３】
上記従来のレバーフロート式ドレントラップにおいては、弁体の開弁変位量が所定に達するまでは弁室内の液面と弁口の開口位置が接近しているために、弁室内の液面が動揺すると気体を多量に漏出してしまう問題点があった。
【特許文献１】特開２００５−３６９０１
【発明の開示】
【発明が解決しようとする課題】
【０００４】
解決しようとする課題は、弁室内の液面が動揺しても気体の漏出量を少なくできるレバーフロート式ドレントラップを提供することである。
【課題を解決するための手段】
【０００５】
本発明は、ケーシングで入口と弁室と出口を形成し、弁室と出口を連通する弁口を弁室の下部に形成し、弁室内に支持された揺動軸の周りに回転するレバーを設け、弁室内の液位に応じて浮上降下するフロートをレバーに連結すると共に弁口を開閉する弁体をレバーに連結したものにおいて、弁口は第１弁口及び第２弁口を有し、弁体は第１弁口を開閉する第１弁体及び第２弁口を開閉する第２弁体を有し、第１弁体の開弁変位量が所定に達するまでは第１弁口内に没入して排出流量を絞る絞り部材を第１弁体が有し、第２弁体の開弁変位量が所定に達するまでは第２弁口内に没入して排出流量を絞る絞り部材を第２弁体が有することを特徴とする。
【発明の効果】
【０００６】
本発明は、第１弁体の開弁変位量が所定に達するまでは第１弁口内に没入して排出流量を絞る絞り部材を第１弁体が有し、第２弁体の開弁変位量が所定に達するまでは第２弁口内に没入して排出流量を絞る絞り部材を第２弁体が有するものであるので、弁室内の液面が動揺しても気体の漏出量を少なくできるという優れた効果を生じる。
【発明を実施するための最良の形態】
【０００７】
本発明は、第１弁体の開弁変位量が所定に達するまでは第１弁口内に没入して排出流量を絞る絞り部材を第１弁体が有し、第２弁体の開弁変位量が所定に達するまでは第２弁口内に没入して排出流量を絞る絞り部材を第２弁体が有するものである。そのため、弁体の開弁変位量が所定に達するまでは絞り部材により排出流量が絞られているので、弁室内の液面が動揺しても気体の漏出量を少なくできる。
【実施例１】
【０００８】
上記の技術的手段の具体例を示す実施例を説明する（図１参照）。本発明のレバーフロート式ドレントラップは、入口１と出口２を有する本体３に蓋体４をボルト５で締結して内部に弁室６を有するケーシングを構成する。弁室６と出口２を連通する第１弁口７及び第２弁口８を有する弁座部材９を弁室６の下部の本体３に図示しないねじにより取り付ける。第１弁口７及び第２弁口８は上下同一軸上に設ける。入口１は弁室６の下部に開口し、出口２は第１弁口７及び第２弁口８を介して弁室６の下部に開口する。
【０００９】
弁室６内の弁座部材９に揺動軸１０を支持し、揺動軸１０にレバー１１の右側部を回転可能に連結する。レバー１１の左端部に弁室６内の液位に応じて浮上降下する中空球形のフロート１２を連結する。レバー１１の右端部に揺動軸１０と平行な連結軸１３を支持し、連結軸１３に連結棒１４の上部を回転可能に連結する。連結棒１４の下部は弁体１５の弁棒１６の上端部に支持された揺動軸１０と平行な弁軸１７に回転可能に連結する。
【００１０】
弁体１５は第１弁口７を下方の出口２側から開閉する第１弁体１８と、第２弁口８を下方の弁室６側から開閉する第２弁体１９と、第１弁体１８と第２弁体１９を連結する弁棒１６と、第１弁体１８の上に設けられ第１弁体１８の開弁変位量が所定に達するまでは第１弁口７内に没入して排出流量を絞る絞り部材２２と、第２弁体１９の上に設けられ第２弁体１９の開弁変位量が所定に達するまでは第２弁口８内に没入して排出流量を絞る絞り部材２３とから構成する。第１弁体１８及び第２弁体１９が第１弁口７及び第２弁口８を閉じる位置からレバー１１が更に閉弁方向に回転したときにレバー１１が当接するストッパ部材２０をレバー１１の下方にボルト２１で弁座部材９に取り付ける。ストッパ部材２０は断面ほぼＬ字状でほぼ鉛直方向の面をボルト２１で弁座部材９に取り付け、ほぼ水平方向の面をフロート１２方向に伸ばす。レバー１１に当接するストッパ部材２０の部位２０ａをほぼ水平方向の面の先端部に形成する。ストッパ部材２０に当接するレバー１１の部位１１ａをフロート１２の中心１２ａと揺動軸１０の中心１０ａとの中間１１ｂよりもフロート１２側に形成する。
【００１１】
弁室６内の液位が低い場合は、図１に示すようにフロート１２は降下し、第１弁体１８及び第２弁体１９が第１弁口７及び第２弁口８を閉じている。このとき、レバー１１はストッパ部材２０に当接していない。配管系でウォータハンマ等が発生し弁室６内の圧力や液位が急激に変動してレバー１１が更に閉弁方向に回転すると、フロート１２が弁室６の底壁に当接する前にレバー１１の部位１１ａがストッパ部材２０の部位２０ａに当接してフロート１２及びレバー１１の損傷を防止する。入口１から流入するドレンによって弁室６内の液位が上昇すると、フロート１２が上動してレバー１１が揺動軸１０を中心に時計回り方向に回転する。このレバー１１の回転により、連結棒１４を介して弁体１５が下動して第１弁体１８及び第２弁体１９が第１弁口７及び第２弁口８を開く。これにより、弁室６のドレンを出口２から排出する。第１弁体１８の開弁変位量が所定に達するまでは絞り部材２２により排出流量が絞られ、第２弁体１９の開弁変位量が所定に達するまでは絞り部材２３により排出流量が絞られているので、弁室６内の液面が動揺しても気体の漏出量を少なくできるの。
【００１２】
ドレンの排出により弁室６内の液位が低下すると、フロート１２が下動してレバー１１が揺動軸１０を中心に反時計回り方向に回転する。このレバー１１の回転により、連結棒１４を介して弁体１５が上動して第１弁体１８及び第２弁体１９が第１弁口７及び第２弁口８を閉じる。これにより、気体の漏出を防止する。
【図面の簡単な説明】
【００１３】
【図１】本発明のレバーフロート式ドレントラップの断面図。
【符号の説明】
【００１４】
１  入口
２  出口
３  本体
４  蓋体
６  弁室
７  第１弁口
８  第２弁口
９  弁座部材
１０  揺動軸
１１  レバー
１２  フロート
１５  弁体
１８  第１弁体
１９  第２弁体
２０  ストッパ部材
２２  絞り部材
２３  絞り部材
【図１】
0005112916.tif 000002